(57)【要約】【課題】バスバーを収容したケースのロック結合部のロック解除時の破損を防ぐ。【解決手段】第１ケース３１の両側壁３４に、両側枠５３、５３の先端に連結枠５４を設けたコ字枠状の第１ロック部５１を突設している一方、第２ケース３２の両側壁４４に第１ロック部５１が係止されるロック爪５７を備えた第２ロック部５２を設け、第１ロック部５１の両側枠５３、５３の幅方向内面５３ａ、５３ａの根元と厚み方向外面５３ｂ、５３ｂの根元にアール部５５ａ、５５ａ、５５ｂ、５５ｂを形成している。【選択図】図２
2010178452.tif 000002
【特許請求の範囲】
【請求項１】
共通入力部に複数の出力部がそれぞれ溶断部を介して並列に連結されたヒュージブルリンク一体型のバスバーを、周壁に設けたロック部で互いに結合する第１ケースと第２ケース内に収容している電気部品であり、
前記第１ケースの周壁から第２ケース側に向けて、両側枠の先端に連結枠を設けたコ字枠状の第１ロック部を突設している一方、前記第２ケースの周壁に前記第１ロック部の前記連結枠に係止されるロック爪を備えた第２ロック部を設けており、
前記第１ロック部の両側枠の幅方向内面および厚み方向外面の根元部分をアールをつけて立設していることを特徴とする電気部品。
【請求項２】
前記第１ロック部の両側枠の前記幅方向の長さＡと厚み方向の長さＢとはＡ＞Ｂとし、かつ、前記幅方向内面の根元のアールＲＡと厚み方向外面の根元のアールＲＢとは、ＲＡ≦ＲＢとしている請求項１に記載の電気部品。
【請求項３】
前記第１ケースの周壁の外面側に位置する前記第１ロック部の両側枠の幅方向外面は、前記第１ケースの周壁外面と同一平面上に位置させている請求項１または請求項２に記載の電気部品。
【発明の詳細な説明】
【技術分野】
【０００１】
本発明は、電気部品に関し、詳しくは、互いにロック結合する第１ケースと第２ケースの内部にヒュージブルリンク一体型のバスバーを収容した電気部品のロック構造を改良するものである。
【背景技術】
【０００２】
近年、ヒュージブルリンク一体型のバスバーが車両用電気接続箱等で用いられている。このバスバーは、入力部と複数の溶断部および出力部とを導電性金属板から一体的に打ち抜いて形成しているものであり、専用ハウジングに収容されてヒュージブルリンクユニットを形成し、電気接続箱のケース内部に取り付けられる。
【０００３】
図７は、この種のヒュージブルリンクユニットの一例を示す。ヒュージブルリンクユニット１は、互いにロック結合する第１ケース３と第２ケース４の内部にヒュージブルリンク一体型バスバー２を収容している。該バスバー２は、入力端子部２ｂと、複数の細幅とした溶断部２ｃと複数の出力端子部２ｄとを共通入力部２ａを介して一体化している。
同様のヒュージブルリンクユニットの例は、本出願人の先の出願に係る特開２００７−２８８９３４号（特許文献１）でも示している。
【０００４】
前記第１ケース３はバスバー２の裏面側を覆い、第２ケース４はバスバー２の表面側を覆い、第２ケース４の周壁からはコ字枠状のロック枠部５を第１ケース３側に向けて突設し、第１ケース３の周壁外面には、前記ロック枠部５が収まる挿入凹部６を設け、該挿入凹部６の底面に前記ロック枠部５に係止されるロック爪７を突設している。
【０００５】
しかしながら、前記ロック枠部５は、図８に示すように、根元５a、５ｂにアールがない。そのため、図９に示すように、ロック結合状態におけるロック枠部５と前記挿入凹部６との間に冶具８を挿入してロック解除しようとするとき、該治具８の挿入によってロック枠部５が外側に撓むことにより発生する応力が前記各根元５ａ、５ｂに集中しやすくなり、該根元５ａ、５ｂが破損しやすく、ロック枠部５が折れやすい点に問題がある。
【先行技術文献】
【特許文献】
【０００６】
【特許文献１】特開２００７−２８８９３４号公報
【発明の概要】
【発明が解決しようとする課題】
【０００７】
本発明は前記問題に鑑みてなされたもので、互いにロック結合した第１ケースと第２ケースの内部にヒュージブルリンク一体型バスバーを収容した電気部品において、ロック解除時のロック破損を防止することを課題としている。
【課題を解決するための手段】
【０００８】
前記課題を解決するために、本発明は、共通入力部に複数の出力部がそれぞれ溶断部を介して並列に連結されたヒュージブルリンク一体型のバスバーを、周壁に設けたロック部で結合する第１ケースと第２ケース内に収容している電気部品であり、
前記第１ケースの周壁から第２ケース側に向けて、両側枠の先端に連結枠を設けたコ字枠状の第１ロック部を突設している一方、前記第２ケースの周壁に前記第１ロック部の前記連結枠に係止されるロック爪を備えた第２ロック部を設けており、
前記第１ロック部の両側枠の幅方向内面および厚み方向外面の根元をアールをつけて立設していることを特徴とする電気部品を提供している。
【０００９】
このように第１ロック部の両側枠の前記各根元にアールをつけることにより、該両側枠の根元部分の断面積を大きくすることができるため、ロック解除の際に第１ロック部が撓むことにより発生する応力の前記根元への集中を緩和でき、該根元の破損を防ぐことができる。
【００１０】
前記第１ロック部の両側枠の前記幅方向の長さＡと厚み方向の長さＢとはＡ＞Ｂとし、かつ、前記幅方向内面の根元のアールＲＡと厚み方向外面の根元のアールＲＢとは、ＲＡ≦ＲＢとしていることが好ましい。
このように、両側枠の前記幅方向の長さＡを厚み方向の長さＢよりも大としている。
また、両側枠の幅方向内面の根元のアールＲＡを厚み方向外面の根元のアールＲＢよりも小または同一としている。
【００１１】
前記構成とすることにより、両側枠の厚み方向外側への撓みやすさを確保できるため、ロック解除時の破損を確実に防止できると共に、ロック解除作業を容易に行うことができる。かつ、根元部分の断面積拡大による応力集中を緩和できる。
【００１２】
前記アールＲＢのアールＲＡに対する比率は、１．０倍以上２．０倍以下が好ましい。これは、１．０倍未満では、前記両側枠の幅方向内面の根元が内側に突出しすぎてロック結合が外れやすくなったり、両側枠の厚み方向外面の根元の突出量が小さすぎて断面積拡大による応力集中緩和効果が不十分となりやすい。一方、２．０倍超では、両側枠の幅方向内面の根元の内側への突出量が小さすぎて断面積拡大による応力集中緩和効果が不十分となったり、両側枠の厚み方向外面の根元の突出量が大きくなり過ぎてロック部が大きくなる問題がある。
【００１３】
前記第１ケースの周壁の外面側に位置する前記第１ロック部の両側枠の幅方向外面は、前記第１ケースの周壁外面と同一平面上に位置させている。これにより、ケースの外面を平坦面とすることができると共に、ケースを小型化できる。その結果、電気接続箱の内部に収容する際に設置スペースの減少を図ることができる。
【発明の効果】
【００１４】
上述したように、本発明によれば、第１ロック部の両側枠の根元にアールをつけることにより、該根元部分の断面積を拡大できるため、ロック解除時に治具によって第１ロック部が外側に撓むことにより発生する応力が前記根元に集中することを緩和でき、該根元の破損および第１ロック部の折損を有効に防ぐことができる。
【００１５】
また、第１ロック部の両側枠の幅方向の長さＡと厚み方向の長さＢをＡ＞Ｂとすることにより、両側枠の厚み方向外側への撓みやすさを確保できるため、第１ロック部と第２ロック部との間に治具を差し込んで行うロック解除作業を容易に行うことができる。
【００１６】
さらに、第１ロック部の両側枠の幅方向内面の根元のアールＲＡと厚み方向外面の根元のＲＢをＲＡ≦ＲＢとすることにより、両側枠の根元部分の断面積拡大を図りながら該両側枠の幅方向内面の根元が内側に突出しすぎないようにバランスをとることができ、該根元部分への応力集中を緩和できる。
【図面の簡単な説明】
【００１７】
【図１】本発明の第一実施形態に係るヒュージブルリンクユニットの分解斜視図である。
【図２】図１に示す専用ハウジングの第１ロック部を示す拡大図であり、（Ａ）は斜視図、（Ｂ）は正面図、（Ｃ）は側面図である。
【図３】図１に示す専用ハウジングの第２ロック部を示す拡大斜視図である。
【図４】第１ケースと第２ケースをロック結合した状態のヒュージブルリンクユニットを示し、（Ａ）は正面図、（Ｂ）は側面図である。
【図５】第１ロック部と第２ロック部を結合した状態を示す拡大図であり、（Ａ）は斜視図、（Ｂ）は（Ａ）のＢ−Ｂ線断面図である。
【図６】ロック解除作業の説明断面図である。
【図７】従来例を示す分解斜視図である。
【図８】従来例のロック部の要部を示す図である。
【図９】従来例の問題点を示す図である。
【発明を実施するための形態】
【００１８】
以下、本発明の実施形態を図面を参照して説明する。
いずれの実施形態も、自動車のエンジンルームに搭載される電気接続箱（図示せず）に収容固定されるヒュージブルリンクユニット１０に本発明を適用している。
【００１９】
図１乃至図６に、本発明の第一実施形態に係るヒュージブルリンクユニット（電気部品）１０を示す。
ヒュージブルリンクユニット１０は、図１に示すように、ヒュージブルリンク一体型バスバー１１と、該バスバー１１を垂直方向に収容する樹脂製の専用ハウジング３０とからなる。該専用ハウジング３０は、図１に示すように、バスバー１１の裏面側を覆う第１ケース３１と、表面側を覆う第２ケース３２とからなり、いずれもポリプロピレン製の樹脂成形品からなる。
【００２０】
前記バスバー１１は、図１に示すように、１枚の導電性金属板を打抜加工して形成している。詳細には、バスバー１１の上側部を横長の共通入力部１２とし、該共通入力部１２の左右一方側をバッテリ系入力部１２Ａとし、他方側をオルタネータ系入力部１２Ｂとし、該バッテリ系入力部１２Ａとオルタネータ系入力部１２Ｂとを、細幅のＳ字状とした１本の第２溶断部１７を介して連続している。
【００２１】
バッテリ系入力部１２Ａの上端からは、バッテリと接続するバッテリ用端子部１３を水平方向に屈曲させて突設していると共に、該バッテリ系入力部１２Ａの下端からは間隔をあけて複数の細幅のＳ字状とした第１溶断部１５Ａを突設し、該第１溶断部１５Ａの先端にバッテリ系回路と接続する出力端子部１６Ａを形成している。一方、前記オルタネータ系入力部１２Ｂの上端からは、オルタネータと接続するオルタネータ用端子部１４を前記バッテリ用端子部１３と同一方向に突設していると共に、下端からは、間隔をあけて複数の細幅のＳ字状とした第１溶断部１５Ｂを突設し、該第１溶断部１５Ｂの先端にオルタネータ系回路と接続する出力端子部１６Ｂを形成している。
【００２２】
前記バッテリ用端子部１３とオルタネータ用端子部１４にはそれぞれボルト穴１８を穿設し、バッテリに接続している電源線端末（図示せず）をボルト締めにより接続する。
前記出力端子部１６Ｂにもボルト穴１９を穿設しており、オルタネータ等の電装品に接続されている電線端末（図示せず）をボルト締めにより接続する。
前記出力端子部１６Ａには、その他の電装品に接続される電線端末（図示せず）を接続する。
前記出力端子部１６Ａ、１６Ｂの上側部には、それぞれ位置決めピンを挿通するための複数の穴２０を穿設している。また、前記共通入力部１２の上側部には、横方向に間隔をあけて複数の穴２１を穿設している。
【００２３】
前記バスバー１１を収容する第１ケース３１と第２ケース３２の形状を以下に詳述する。  前記第１ケース３１は、バスバー１１の裏面と対向する裏壁３３と、該裏壁３３の周縁より立設した両側壁３４、上壁３５および下壁３６とを備えている。
前記裏壁３３の内面側には、バスバー１１の前記第１溶断部１５Ａ、１５Ｂと対向する位置に第１凹部３７を、前記第２溶断部１７と対向する位置に第２凹部３８を形成するとともに、第１凹部３７間には仕切壁３９を突設している。
前記裏壁３３の下側部の内面には、バスバー１１の前記出力端子部１６Ａ、１６Ｂの上側部を収容する第３凹部４０を形成し、該第３凹部４０は前記下壁３６を貫通して下面側に開口している。各第３凹部４０からは、出力端子部１６Ａ、１６Ｂの前記穴２０に挿入係止される複数の位置決めピン４１を突設している。
また、裏壁３３の上側部の内面にも、バスバー１１の共通入力部１２の前記穴２１に挿入係止される複数の位置決めピン４２を突設している。
【００２４】
前記第２ケース３２は、バスバー１１の表面と対向する表壁４３と、該表壁４３の周縁より内面側に突設した両側壁４４、上壁４５および下壁４６を備えている。
前記表壁４３には、バスバー１１の前記第１溶断部１５Ａ、１５Ｂおよび第２溶断部１７と対向する位置にそれぞれ開口部４７を設け、該開口部４７を通して各溶断部１５Ａ、１５Ｂ、１７の溶断状態を外部から目視できるようにしている。
また、前記上壁４５の外面には、前記バッテリ用端子部１３とオルタネータ用端子部１４とを外部へと突出させる凹部４８を形成している。
【００２５】
前記第１ケース３１と第２ケース３２とは、バスバー１１を収容した状態で、第１ケース３１の両側壁３４に形成した第１ロック部５１と、第２ケース３２の両側壁４４に形成した第２ロック部５２とで互いにロック結合される。
このロック結合状態において、前記バスバー１１は第１ケース３１と第２ケース３２とで表裏両面から挟持され、かつ、図４（Ａ）（Ｂ）に示すように、バッテリ用端子部１３とオルタネータ用端子部１４は第２ケース３２の前記凹部４８と第１ケース３１の前記上壁３５との隙間から外部へ水平に突出し、各出力端子部１６Ａ、１６Ｂは、第１ケース３１の第３凹部４０と第２ケース３２の下壁４６との隙間から下方に突出する。また、第１ケース３１の両側壁３４と第２ケース３２の両側壁４４は、図５（Ａ）にも示すように同一平面上で連続する。
【００２６】
前記第１ロック部５１は、図２（Ａ）に示すように、第１ケース３１の両側壁３４から第２ケース３２に向かって立設する両側枠５３、５３の先端を連結枠５４で連結したコ字枠状よりなる。該第１ロック部５１の幅方向外面５１ａは、図５（Ａ）にも示すように、第１ケース３１の両側壁３４の外面と同一平面上に位置している。
【００２７】
前記両側枠５３、５３の幅方向の長さＡは、図２（Ａ）に示すように、厚み方向の長さＢよりも大としている。また、該両側枠５３、５３の幅方向内面５３ａ、５３ａの根元と厚み方向外面５３ｂ、５３ｂの根元は、それぞれ根元に近接するほど外側に突出するように湾曲させて前記両側壁３４の端面に連続するアール部５５ａ、５５ａ、５５ｂ、５５ｂを形成している。前記幅方向内面５３ａ、５３ａの前記アール部５５ａ、５５ａのアールＲＡは、図２（Ｂ）（Ｃ）に示すように、前記厚み方向外面５３ｂ、５３ｂのアール部５５ｂ、５５ｂのアールＲＢよりも小としている。なお、アールＲＡをアールＲＢと同一としてもよい。
【００２８】
前記第２ロック部５２は、図３に示すように、第２ケース３２の両側壁４４の外面に凹設した前記第１ロック部が挿入される挿入部５６と、該挿入部５６の底面５６ａより突設したロック爪５７とからなる。該挿入部５６の深さは、前記第１ロック部５１の両側枠５３の厚みと同一寸法としている。
【００２９】
第１ケース３１の裏壁３３の下側部内面には、図１に示すように、コ字枠形状の第１補助ロック部６１を突設している。第２ケース３２の表壁４３の内面側からは、前記第１補助ロック部６１と対向する位置にロック爪からなる第２補助ロック部６２を突設している。前記第１ロック部５１と第２ロック部５２とをロック係止したときに、前記第１補助ロック部６１と第２補助ロック部６２もロック係止される構成としている。
【００３０】
前記構成のヒュージブルリンクユニット１０は、第１ロック部５１の両側枠５３、５３の幅方向内面５３ａ、５３ａの根元と厚み方向外面５３ｂ、５３ｂの根元にアール部５５ａ、５５ａ、５５ｂ、５５ｂを形成して、該両側枠５３、５３の根元部分の断面積を拡大している。従って、図６に示すように、第１ロック部５１と第２ロック部５２との間に治具５８を挿入してロック解除する時、第１ロック部５１が外側に撓むことによって発生する応力の前記両側枠５３、５３の根元部分への集中を緩和することができる。よって、ロック解除時に第１ロック部５１の根元が破損または折損することを有効に防ぐことができる。
【００３１】
また、第１ロック部５１の両側枠５３、５３の幅方向の長さＡを厚み方向の長さＢよりも大としているため、該第１ロック部５１の厚み方向への撓み変形性を確保することができる。よって、ロック解除時に治具５８によって第１ロック部５１を厚み方向外側へ容易に撓ませることができるため、ロック解除の作業性を良好なものとすることができる。
【００３２】
さらに、第１ロック部５１の前記アールＲＡをアールＲＢよりも小としていることにより、第１ロック部５１の根元の断面積拡大を図りながらも、両側枠５３、５３の幅方向内面５３ａ、５３ａのアール部５５ａ、５５ａが内側に突出しすぎることを防止できる。これにより、図５（Ｂ）に示すように、ロック係止状態において、前記アール部５５ａ、５５ａによって第１ロック部５１の幅方向内面５１ｂと第２ロック部５２の挿入部５６の底面５６ａとの間の隙間が大きくなりすぎることを防止でき、第１ロック部５１と第２ロック部５２のロック爪５７とを深く安定的に係止させることできる。
【００３３】
また、第１ロック部５１の幅方向外面５１ａと第１ケース３１の両側壁３４の外面とを同一平面状に位置させているうえ、ロック係止状態において、第１ケース３１の両側壁３４と第２ケース３２の両側壁４４とは同一平面上で連続しているため、第１ロック部５１がハウジング３０の周壁から外側に突出することを防止でき、第１ロック部５１が周辺部品等に引っかかってロックが外れてしまう不具合を防ぐことができる。
【符号の説明】
【００３４】
１０  ヒュージブルリンクユニット（電気部品）
１１  バスバー
１２  共通入力部
１５Ａ、１５Ｂ  （第１）溶断部
１６Ａ、１６Ｂ  出力端子部
３０  専用ハウジング
３１  第１ケース
３２  第２ケース
５１  第１ロック部
５２  第２ロック部
５３  両側枠
５３ａ  幅方向内面
５３ｂ  厚み方向外面
５５ａ  アール部（ＲＡ）
５５ｂ  アール部（ＲＢ）
５７  ロック爪
【図１】
2010178452.tif 000003
【図２】
2010178452.tif 000004
【図３】
2010178452.tif 000005
【図４】
2010178452.tif 000006
【図５】
2010178452.tif 000007
【図６】
2010178452.tif 000008
【図７】
2010178452.tif 000009
【図８】
2010178452.tif 000010
【図９】
2010178452.tif 000011